(57)【特許請求の範囲】
【請求項１】
軸線方向に直線的に移動可能な操作軸と、この操作軸の一端部に当接されこの操作軸によって直線的に移動可能に配設された可動部材と、前記操作軸の軸線方向を挟んで幅方向の左右に配置され、前記可動部材の移動を復帰させるように付勢する２個のバネ部材と、前記可動部材の移動をガイドするガイド部を有するケースと、前記可動部材の下部側に配設され、前記可動部材の移動によって操作される検出手段とを備え、前記ケースの前記ガイド部は、前記可動部材の側部を上部と下部でガイドする上部ガイド部と下部ガイド部とを有し、前記可動部材は、前記検出手段を配設した下部側が前記下部ガイド部に当接して摺動する下部摺接部と、この下部摺接部と反対の上方側に位置し、前記上部ガイド部に当接して摺動する上部摺接部とを有し、前記上部、下部ガイド部と前記上部、下部摺接部とで規制手段が形成され、前記可動部材には、前記２個のバネ部材によって、前記可動部材の幅方向に異なる大きさの付勢力が加えられることにより、前記可動部材の幅方向の中心位置から前後方向に伸びる中心線が前記軸線方向に対して幅方向に傾くような回転モーメントが加えられて、前記可動部材が幅方向の面で回動し、この回動によって、前記可動部材の前記上部、下部摺接部が前記ケースの前記上部、下部ガイド部のそれぞれに当接するように押し付けられて、前記可動部材の上下方向と幅方向の動きが前記規制手段により規制され、前記可動部材のガタツキが防止されると共に、前記可動部材が前記軸線方向に対して幅方向に傾いた状態で直線的に移動するようにしたことを特徴とする直線操作型電気部品。
【請求項２】
前記上部ガイド部と前記上部摺接部、又は前記下部ガイド部と前記下部摺接部とにそれぞれ傾斜面を設けた前記規制手段を有することを特徴とする請求項１記載の直線操作型電気部品。
【請求項３】
前記上部ガイド部と前記上部摺接部、又は前記下部ガイド部と前記下部摺接部の一方は、互いに前記傾斜面同士が当接可能になすと共に、他方は、円弧状面と、この円弧状面に当接する平坦面とを備えた前記規制手段を有することを特徴とする請求項２記載の直線操作型電気部品。
【請求項４】
前記規制手段は、前記操作軸の軸線方向を挟んで前記幅方向の左右にそれぞれ設けられた第１と第２の規制手段で構成されたことを特徴とする請求項１から３の何れかに記載の直線操作型電気部品。
【請求項５】
前記第１と第２の規制手段は、一方が前記操作軸に近い側に設けられると共に、他方が前記一方よりも前記操作軸から遠い位置に設けられたことを特徴とする請求項４記載の直線操作型電気部品。
【請求項６】
前記可動部材の前記回転モーメントは、前記操作軸の軸線方向を挟んで前記幅方向の左右に配設された２個のコイルバネからなる前記２個のバネ部材で生起されるようにしたことを特徴とする請求項１から５の何れかに記載の直線操作型電気部品。
【請求項７】
前記２個のコイルバネは、個々の前記可動部材への当接位置と前記ケースへの当接位置との間の間隔を異ならしめて、前記２個のコイルバネの前記可動部材に対する押圧力を異ならしめたことを特徴とする請求項６記載の直線操作型電気部品。
【請求項８】
前記２個のコイルバネが前記操作軸の軸線方向に対して直交する一つの線上の位置に配設されたことを特徴とする請求項６、又は７記載の直線操作型電気部品。
【請求項９】
前記２個のバネ部材によって、前記可動部材を前記操作軸に弾接したことを特徴とする請求項１から８の何れかに記載の直線操作型電気部品。
【請求項１０】
前記上部ガイド部と前記上部摺動部の少なくとも一方に傾斜面を設け、また、前記下部ガイド部と前記下部摺動部の一方には、平坦面を設けると共に、前記下部ガイド部と前記下部摺動部の他方には、前記平坦面と当接する平坦面、或いは前記平坦面に当接する少なくとも一対の凸部を設けて、前記規制手段を形成したことを特徴とする請求項１記載の直線操作型電気部品。
【請求項１１】
前記下部ガイド部と前記下部摺動部の少なくとも一方に傾斜面を設け、また、前記上部ガイド部と前記上部摺動部の一方には、平坦面を設けると共に、前記上部ガイド部と前記上部摺動部の他方には、前記平坦面と当接する平坦面、或いは前記平坦面に当接する少なくとも一対の凸部を設けて、前記規制手段を形成したことを特徴とする請求項１記載の直線操作型電気部品。
【請求項１２】
前記規制手段は、前記上部ガイド部と前記上部摺接部、及び前記下部ガイド部と前記下部摺接部とにそれぞれ傾斜面を対向して設け、前記２個のバネ部材により加えられる回転モーメントによって前記傾斜面同士を弾接させたことを特徴とする請求項１記載の直線操作型電気部品。
【請求項１３】
前記２個のバネ部材は、前記操作軸の移動を復帰させるように付勢する第１のバネ部材と、前記可動部材の移動を復帰させるように付勢する第２のバネ部材とで構成し、前記第２のバネ部材は、前記可動部材を中心軸からずれた位置で復帰方向へ押圧する１個のコイルバネで形成したことを特徴とする請求項１２記載の直線操作型電気部品。
【請求項１４】
前記操作軸の前記可動部材との当接部側には、前記軸線方向と直角方向で前記可動部材の幅方向の両外側部に延びる延出腕部を形成し、この延出腕部に前記第１のバネ部材を当接すると共に、この第１のバネ部材を前記可動部材の幅方向の両外側部に対向して配設したことを特徴とする請求項１３記載の直線操作型電気部品。
【発明の詳細な説明】
【０００１】
【発明の属する技術分野】
本発明は、エンジンを搭載する自動車に備えられ、燃料と空気との混合比をコントロールするセンサや、排気ガスのリサイクル量をコントロールするセンサ等に使用して好適な直線操作型電気部品に関する。
【０００２】
【従来の技術】
従来のこの種の直線操作型電気部品を図１１〜図１３に基づいて説明すると、箱形のケース３１は、後方部が開放された収納部３１ａと、この収納部３１ａに繋がった状態で前方部に設けられた孔３１ｂと、収納部３１内において、前後方向に設けられた一対のガイド溝３１ｃとを有する。
また、抵抗体３２を設けた絶縁基板３３が収納部３１ａ内の底部に取り付けられると共に、収納部３１ａの後方の開放部を塞ぐ封止部３４によって、収納部３１内が密封された状態となっている。
【０００３】
一対の肩部３５ａを有する可動部材３５は、肩部３５ａをガイド溝３１ｃに位置させた状態で、収納部３１ａ内に移動可能に収納されると共に、可動部材３５の下部には、抵抗体３２に摺動する摺動子３６が取り付けられ、また、可動部材３５の上部には、図１３で示すような板バネ３７が設けられ、この板バネ３７で可動部材３５を下方に押圧し、可動部材３５の下部をケース３１に弾接させて、可動部材３５の上下方向Ａのガタツキを防止すると共に、この板バネ３７で可動部材３５の幅方向Ｂのガタツキを防止している。
【０００４】
可動部材３５の移動を復帰させるためのコイルバネ３８は、収納部３１ａ内に収納された状態で、可動部材３５と封止部３４との間に配置され、このコイルバネ３８によって、可動部材３５をケース３１の前方側に押し付けると共に、操作軸３９が孔３１ｂに挿入されて、操作軸３９の軸線方向の直線的な移動によって、可動部材３５が直線的に移動するようになっている。
即ち、コイルバネ３８は、操作軸３９の軸線方向と同方向にバネ力が働くが、板バネ３７は、この軸線方向と直交する方向にバネ力が働くような構成となっている。
【０００５】
そして、従来の直線操作型電気部品の操作は、先ず、操作軸３９を軸線方向に押圧すると、コイルバネ３８に抗して可動部材３５が後方に移動する。
すると、可動部材３５に伴って摺動子３６が抵抗体３２上を移動して抵抗値を可変し、これによって、位置検出が行われる。
また、可動部材３５の移動時、板バネ３７はケース３１に摺動しながら可動部材３５と共に移動し、且つ、可動部材３５の下部がケース３１に摺接しながら移動するようになっている。
【０００６】
そして、操作軸３９の押圧を解除すると、摺動子３６を取り付けた可動部材３５と操作軸３９は、コイルバネ３８によって押し戻されて、元の状態に復帰するようになる。
【０００７】
【発明が解決しようとする課題】
従来の直線操作型電気部品は、可動部材３５の移動復帰用のコイルバネ３８の他に、可動部材３５の上下方向と幅方向のガタツキを防止するための板バネ３７を必要とし、コイルバネ３８と板バネ３７との２種類のバネ部材を使用しなければならないことから部品の種類が多くなって、コスト高になるという問題がある。
また、板バネ３７は、ガイド溝３１ｃ内に取り付けるため、その取付作業が面倒で、生産性が悪くなると共に、板バネ３７がケース３１と摺接して、可動部材３５がスムースに移動できないという問題がある。
【０００８】
そこで、本発明は、可動部材の移動復帰用のバネ部材と可動部材のガタツキを防止するバネ部材とを同種類のコイルバネで形成することで、部品の種類が少なく、安価で、且つ、生産性が良好であると共に、可動部材がスムースに移動ができる直線操作型電気部品を提供することを目的とする。
【０００９】
【課題を解決するための手段】
上記課題を解決するための第１の解決手段として、軸線方向に直線的に移動可能な操作軸と、この操作軸の一端部に当接されこの操作軸によって直線的に移動可能に配設された可動部材と、前記操作軸の軸線方向を挟んで幅方向の左右に配置され、前記可動部材の移動を復帰させるように付勢する２個のバネ部材と、前記可動部材の移動をガイドするガイド部を有するケースと、前記可動部材の下部側に配設され、前記可動部材の移動によって操作される検出手段とを備え、前記ケースの前記ガイド部は、前記可動部材の側部を上部と下部でガイドする上部ガイド部と下部ガイド部とを有し、前記可動部材は、前記検出手段を配設した下部側が前記下部ガイド部に当接して摺動する下部摺接部と、この下部摺接部と反対の上方側に位置し、前記上部ガイド部に当接して摺動する上部摺接部とを有し、前記上部、下部ガイド部と前記上部、下部摺接部とで規制手段が形成され、前記可動部材には、前記２個のバネ部材によって、前記可動部材の幅方向に異なる大きさの付勢力が加えられることにより、前記可動部材の幅方向の中心位置から前後方向に伸びる中心線が前記軸線方向に対して幅方向に傾くような回転モーメントが加えられて、前記可動部材が幅方向の面で回動し、この回動によって、前記可動部材の前記上部、下部摺接部が前記ケースの前記上部、下部ガイド部のそれぞれに当接するように押し付けられて、前記可動部材の上下方向と幅方向の動きが前記規制手段により規制され、前記可動部材のガタツキが防止されると共に、前記可動部材が前記軸線方向に対して幅方向に傾いた状態で直線的に移動するようにした構成とした。
【００１０】
また、第２の解決手段として、前記上部ガイド部と前記上部摺接部、又は前記下部ガイド部と前記下部摺接部とにそれぞれ傾斜面を設けた前記規制手段を有する構成とした。また、第３の解決手段として、前記上部ガイド部と前記上部摺接部、又は前記下部ガイド部と前記下部摺接部の一方は、互いに前記傾斜面同士が当接可能になすと共に、他方は、円弧状面と、この円弧状面に当接する平坦面とを備えた前記規制手段を有する構成とした。
【００１１】
また、第４の解決手段として、前記規制手段は、前記操作軸の軸線方向を挟んで前記幅方向の左右にそれぞれ設けられた第１と第２の規制手段で構成された。また、第５の解決手段として、前記第１と第２の規制手段は、一方が前記操作軸に近い側に設けられると共に、他方が前記一方よりも前記操作軸から遠い位置に設けられた構成とした。
【００１２】
また、第６の解決手段として、前記可動部材の前記回転モーメントは、前記操作軸の軸線方向を挟んで前記幅方向の左右に配設された２個のコイルバネからなる前記２個のバネ部材で生起されるようにした構成とした。
【００１３】
また、第７の解決手段として、前記２個のコイルバネは、個々の前記可動部材への当接位置と前記ケースへの当接位置との間の間隔を異ならしめて、前記２個のコイルバネの前記可動部材に対する押圧力を異ならしめた構成とした。また、第８の解決手段として、前記２個のコイルバネが前記操作軸の軸線方向に対して直交する一つの線上の位置に配設された構成とした。また、第９の解決手段として、前記２個のバネ部材によって、前記可動部材を前記操作軸に弾接した構成とした。また、第１０の解決手段として、前記上部ガイド部と前記上部摺動部の少なくとも一方に傾斜面を設け、また、前記下部ガイド部と前記下部摺動部の一方には、平坦面を設けると共に、前記下部ガイド部と前記下部摺動部の他方には、前記平坦面と当接する平坦面、或いは前記平坦面に当接する少なくとも一対の凸部を設けて、前記規制手段を形成した構成とした。また、第１１の解決手段として、前記下部ガイド部と前記下部摺動部の少なくとも一方に傾斜面を設け、また、前記上部ガイド部と前記上部摺動部の一方には、平坦面を設けると共に、前記上部ガイド部と前記上部摺動部の他方には、前記平坦面と当接する平坦面、或いは前記平坦面に当接する少なくとも一対の凸部を設けて、前記規制手段を形成した構成とした。
【００１４】
また、第１２の解決手段として、前記規制手段は、前記上部ガイド部と前記上部摺接部、及び前記下部ガイド部と前記下部摺接部とにそれぞれ傾斜面を対向して設け、前記２個のバネ部材により加えられる回転モーメントによって前記傾斜面同士を弾接させた構成とした。また、第１３の解決手段として、前記２個のバネ部材は、前記操作軸の移動を復帰させるように付勢する第１のバネ部材と、前記可動部材の移動を復帰させるように付勢する第２のバネ部材とで構成し、前記第２のバネ部材は、前記可動部材を中心軸からずれた位置で復帰方向へ押圧する１個のコイルバネで形成した構成とした。また、第１４の解決手段として、前記操作軸の前記可動部材との当接部側には、前記軸線方向と直角方向で前記可動部材の幅方向の両外側部に延びる延出腕部を形成し、この延出腕部に前記第１のバネ部材を当接すると共に、この第１のバネ部材を前記可動部材の幅方向の両外側部に対向して配設した構成とした。
【００１５】
【発明の実施の形態】
本発明の直線操作型電気部品の実施の形態を図面に基づいて説明する。図１は本発明の一実施例である直線操作型電気部品の側面から見た断面図、図２は本発明の同じく直線操作型電気部品に係り、封止部材と操作軸とを取り除いた正面図、図３は本発明の同じく直線操作型電気部品の上面から見た要部断面図、図４は本発明の同じく直線操作型電気部品に係り、可動部材の動きを示す説明図、図５は図４の５−５線における要部の断面図である。
【００１６】
次に、本発明の一実施例である直線操作型電気部品の構成を図１〜図５に基づいて説明すると、合成樹脂の成型品からなるケース１は、一方が開放して設けられた空洞状の収納部１ａと、収納部１ａ内で前後方向に延びる凹状の一対の肩部１ｂと、この肩部１ｂの上方に位置し、収納部１ａ内で前後方向に延びる左右一対の円弧状面をなした凸部からなる下部ガイド部１ｃと、この下部ガイド部１ｃと反対の上部側に位置して対向し、収納部１ａ内で前後方向に延びる左右一対の傾斜面からなる上部ガイド部１ｄと、収納部１ａ内で前後方向に延び、長さの異なる一対の丸型の保持部１ｅと、収納部１ａに対して直角方向に突出する筒状部１ｆとを有する。
【００１７】
そして、ケース１は、下部ガイド部１ｃと上部ガイド部１ｄとで、後述する可動部材８のガイド部１ｇが形成され、このガイド部１ｇは、中央部から幅方向の外方に行くに従って、上下間の間隔が漸次狭くなって形成されている。
また、一対の保持部１ｅは、図３に示すように、保持部１ｅ内におけるケース１の裏面壁１ｈの厚みを違わせることによって、一対の保持部１ｅの長さを異ならしめている。
【００１８】
複数個の金属製の端子２を取り付けた絶縁基板３には、端子２に電気的に接続された状態でホールＩＣ４が取り付けられ、この絶縁基板３は、ケース１の一対の肩部１ｂに挿入されて、収納部１ａ内に取り付けられている。
そして、この絶縁基板３に取り付けられた端子２は、ケース１に埋設されたＬ字状のコネクタ用のピン５の一端に半田付けされて、接続されている。
【００１９】
合成樹脂等からなる封止部材６は、中心部に設けられた孔６ａと、外周の後方部に設けられた凸条部６ｂとを有し、この封止部材６は、ケース１の開放部を覆うように、凸条部６ｂをケース１に載置し、ケース１の一部をカシメて取り付けられ、この封止部材６によって、収納部１ａが密封された状態となっている。
操作軸７は、後方に設けられた鍔部７ａと、軸線方向Ｇの後端部に設けられた凸部７ｂとを有し、この操作軸７は、封止部材６の孔６ａに後方から前方に挿通され、鍔部７ａが封止部材６に係止して、操作軸７が直線的に移動可能な状態で、封止部材６に取り付けられている。
【００２０】
合成樹脂の成型品からなる可動部材８は、軸線方向Ｇと同方向の前後方向、及び軸線方向Ｇと直角方向の幅方向とに延びて、中央部に位置する矩形状の基部８ａと、基部８ａから幅方向の左右に伸び、端部に十字状部を有する一対のバネ受け部８ｂと、基部８ａの前端部の幅方向の左右に位置し、平坦面からなる下部側に設けられた下部摺接部８ｃ、及び傾斜面からなる上部側に設けられた上部摺接部８ｄからなる一対の前方摺動部８ｅと、基部８ａの後端部の幅方向の左右に位置し、平坦面からなる下部側に設けられた下部摺接部８ｃ、及び傾斜面からなる上部側に設けられた上部摺接部８ｄからなる一対の後方摺動部８ｆとを有する。
そして、下部摺接部８ｃと上部摺接部８ｄとで形成された前方、後方摺動部８ｅ、８ｆは、中央部から幅方向の外方に行くに従って、上下間の厚みが漸次薄くなっている。
【００２１】
また、この可動部材８の下部には、軸線方向Ｇに沿ってＮとＳの２極を着磁した磁石９が取り付けられ、そして、この磁石９を取り付けた可動部材８は、磁石９をホールＩＣ４に対向させた状態で、前方、後方摺動部８ｅ、８ｆの下部、上部摺接部８ｃ、８ｄが下部、上部ガイド部１ｃ、１ｄとで構成されるガイド部１ｇ内に挿入されており、この前方摺動部８ｅ側においては、下部、上部摺接部８ｃ、８ｄと下部、上部ガイド部１ｃ、１ｄとで第１の規制手段１０ａが構成され、また、後方摺動部８ｆ側においては、下部、上部摺接部８ｃ、８ｄと下部、上部ガイド部１ｃ、１ｄとで第２の規制手段１０ｂが構成されている。
そして、磁石９を取り付けた可動部材８の下部側は、下部摺接部８ｃが下部ガイド部１ｃに当接して下方への動きが規制され、また、可動部材８の上方側は、上部摺接部８ｄが上部ガイド部１ｄに当接して上方への動きが規制されている。
この可動部材８が取り付けられた際、第１の規制手段１０ａは操作軸７に近い位置に設けられ、第２の規制手段１０ｂは、第１の規制手段１０ａよりも操作軸７から遠い位置に設けられていると共に、磁石９とホールＩＣ４とで検出手段Ｋが構成されている。
【００２２】
２個のコイルバネからなるバネ部材１１は、それぞれ、収納部１ａの保持部１ｅ内に挿入されて、一端が裏面壁１ｈに当接すると共に、他端が可動部材８のバネ受け部８ｂに当接した状態で配置されている。
即ち、２個のバネ部材１１は、操作軸７の軸線方向Ｇを挟んで幅方向の左右に配置された状態となっている。
【００２３】
そして、この２個のバネ部材１１によって可動部材８が前方に付勢されて、可動部材８の中央部が操作軸７の突部７ｂに弾接された状態にあると共に、挿入された２個のバネ部材１１は、底壁１ｈとバネ受け部８ｂとの間の間隔の異なる２個の保持部１ｅに収納されているため、２個のバネ部材１１の可動部材８への付勢力が異なり、その結果、図４に示すように、可動部材８には、可動部材８の幅方向の中心位置から前後方向に延びる中心線Ｚが軸線方向Ｇに対して傾くような回転モーメントＭ（回転力）が発生し、可動部材８は、操作軸７を支点として幅方向の面で回動し、中心線Ｚが操作軸７の軸線方向Ｇに対して傾いた状態となる。
【００２４】
また、可動部材８に回転モーメントＭが発生すると、可動部材８の左側に位置する前方摺動部８ｅは、図５に示すように、矢印Ｙ方向に回動して下部ガイド部１ｃと上部ガイド部１ｄと間に押し込まれるようになり、その結果、傾斜面の上部ガイド部１ｄと傾斜面の上部摺接部８ｄとが当接した状態で、可動部材８の平坦面からなる下部摺接部８ｃが円弧状面の下部ガイド部１ｃに当接するまで押し込まれる。
このため、可動部材８の下部側は、下部ガイド部１ｃによって下方へのガタツキが防止され、また、可動部材８の上部側は、上部ガイド部１ｄによって上方へのガタツキが防止され、更に、可動部材８は、下部ガイド部１ｃと上部ガイド部１ｄとで挟まれた状態となって、左右方向（幅方向）のガタツキが防止されている。
このようにして、可動部材８の下部、上部摺接部８ｃ、８ｄと、ケース１の下部、上部ガイド部１ｃ、１ｄとで第１の規制手段１０ａが構成されている。
【００２５】
また、可動部材８に回転モーメントＭが発生すると、可動部材８の右側に位置する後方摺動部８ｆは、図５に示すように、矢印Ｘ方向に回動して下部ガイド部１ｃと上部ガイド部１ｄと間に押し込まれるようになり、その結果、傾斜面の上部ガイド部１ｄと傾斜面の上部摺接部８ｄとが当接した状態で、可動部材８の平坦面からなる下部摺接部８ｃが円弧状面の下部ガイド部１ｃに当接するまで押し込まれる。
このため、可動部材８の下部側は、下部ガイド部１ｃによって下方へのガタツキが防止され、また、可動部材８の上部側は、上部ガイド部１ｄによって上方へのガタツキが防止され、更に、可動部材８は、下部ガイド部１ｃと上部ガイド部１ｄとで挟まれた状態となって、左右方向（幅方向）のガタツキが防止されている。
このようにして、可動部材８の下部、上部摺接部８ｃ、８ｄと、ケース１の下部、上部ガイド部１ｃ、１ｄとで第２の規制手段１０ｂが構成されている。
【００２６】
また、この第１と第２の規制手段１０ａと１０ｂは、操作軸７の軸線方向Ｇを挟んで幅方向の左右の位置に設けられると共に、バネ部材１１である２個のコイルバネは、操作軸７の軸線方向Ｇに対して直交する一つの線Ｗ（図２参照）上の位置に配設されている。
そして、この線Ｗ上にバネ部材１１を配置することによって、操作軸７の押圧時における押圧力のバランスが良くなる。
以上のように、可動部材８に回転モーメントＭが発生すると、可動部材８の前方摺動部８ｅと後方摺動部８ｆの下部は、下部ガイド部１ｃの平坦面で規制された状態で、弾圧状態で摺動し、このため、可動部材８は下部ガイド部１ｃで下方への動きが規制され、また、可動部材８の前方摺動部８ｅと後方摺動部８ｆの上部は、上部ガイド部１ｄの傾斜面で規制された状態で、弾圧状態で摺動し、このため、可動部材８は上部ガイド部１ｄで上方への動きが規制され、従って、可動部材８は上下方向にガタツクこと無く摺動し、ホールＩＣ４と磁石９の垂直方向（上下方向）の距離を一定の間隔に保つことができる。
これによって、ホールＩＣ４と磁石９の垂直方向の距離が変わると基準値に対して出力値が大きく変わるが、本発明のように、垂直方向の距離が一定にできると、可動部材８の安定した保持ができ、振動等が加わったとしても出力値が変動せず、そして、磁石９の移動に伴って、直線性に優れた出力値を得ることができる。
即ち、図５に示すように、軸線方向Ｇに対して直角方向の一つの断面内において、可動部材８の下部、上部摺接部８ｃ、８ｄがそれぞれ上下の位置で、ケース１の下部、上部ガイド部１ｃ、１ｄに当接した状態となっているため、特に、上下方向のガタツキが防止されるものである。
また、左右方向（幅方向）もガタツキが防止された状態で可動部材８を移動させることができ、更には、可動部材８に加わる回転力は、バネ定数に、バネの撓みの量の差を乗じた値であり、可動部材８の任意の摺動位置で一定にできるのでスムースに移動できる。
【００２７】
次に、本発明の直線操作型電気部品の動作を説明すると、例えば、自動車のペダルを踏むと、仲介部材を介して操作軸７がバネ部材１１に抗して移動する。
そして、この操作軸７に伴って、可動部材８が第１，第２の規制部材１０ａ、１０ｂをガイドにして軸線方向Ｇに直線的に移動する。
すると、磁石９も移動してホールＩＣ４への磁界を変動させ、その結果、検出手段Ｋによって電圧値が変わり、位置検出を行うようになる。
【００２８】
また、ペダルの押圧を解除すると、バネ部材１１によって、可動部材８が押し戻されると共に、操作軸７も可動部材８によって、元の状態に押し戻されるようになる。
このようにして、本発明の直線操作型電気部品の動作が行われるものである。
【００２９】
なお、上記実施例では、検出手段Ｋが磁石９とホールＩＣ４とで構成されたもので説明したが、抵抗体と摺動子片を有する可変抵抗器等で構成された検出手段Ｋでも良い。
また、上記実施例では、第１．第２の規制手段１０ａ、１０ｂが可動部材８の上部側において、傾斜面からなる上部ガイド部１ｄと傾斜面からなる上部摺接部８ｄを設けたもので説明したが、可動部材８の下部側において、下部ガイド部１ｃと下部摺接部８ｃとを傾斜面で構成しても良い。
また、上記実施例では、ケース１と可動部材８の双方に傾斜面からなる上部ガイド部１ｄと上部摺接部８ｄを設けたもので説明したが、ケース１，或いは可動部材８の何れか一方に傾斜面を設けても良い。
【００３０】
また、上記実施例では、バネ部材１１が２個のコイルバネで構成され、バネ力の等しい２個のコイルバネを用い、ケース１と可動部材８との間の間隔を異ならしめて、コイルバネの圧縮量を変えて可動部材８に回転モーメントを加えるようにしたが、バネ力の等しい２個のコイルバネを用い、軸線方向Ｇから幅方向に異なる位置に２個のコイルバネを配置して、可動部材８に回転モーメントを加えたり、或いは、互いにバネ力の異なる２個のコイルバネを用いて、可動部材８に回転モーメントを加えたりする等しても良い。
【００３１】
また、上記実施例では、２個のコイルバネで可動部材８に回転モーメントを加えるようにしたもので説明したが、バネ部材１１を１個のコイルバネ、或いは１個のねじりコイルバネ等で構成し、この１個のバネ部材１１を軸線方向Ｇからずれた位置に配置して、可動部材８に回転モーメントを加えるようにしても良い。
また、上記実施例では、可動部材８の中心部に操作軸７を当接させて、可動部材８に回転モーメントＭを得るようにしたが、可動部材８の中心部から外れた位置に操作軸７を当接させて、可動部材８に回転モーメントＭを得るようにしても良い。
また、上記実施例においては、可動部材８の上方側に傾斜面からなる上部摺接部８ｄを設け、ケース１にこれと対向するように、傾斜面からなる上部ガイド部１ｄを設け、回転モーメントＭが加わると、可動部材８には、下部側に向かって弾圧される力が加わるようにしているが、可動部材８の下部側に傾斜面を設けて、この傾斜面で可動部材８を上部側に向かって弾圧するようにしても良い。
また、ケース１には溝からなるガイド部１ｇを形成して、このガイド部１ｇに可動部材８を前後方向に移動自在に、はめ込むようにしたが、可動部材８に溝を形成し、この溝にはめ込まれる突出部をケース１に設けても良い。
また、上記実施例においては、下部ガイド部１ｃを一対の円弧状面をなした凸部で形成し、前方摺動部８ｅの下部、及び後方摺動部８ｆの下部を平坦面としたが、逆の関係にする、或いは双方を平坦面にしても良い。
また、上記実施例においては、可動部材８が下部ガイド部１ｃによって操作軸７の軸線方向Ｇと平行な動きをするようにしたが、磁石９とホールＩＣ４の出力特性に合わせて、下部ガイド部１ｃを軸線方向Ｇに沿って若干湾曲させても良い。  また、上記実施例においては、一対の下部ガイド部１ｃによって、ホールＩＣ４と磁石９が平行に配置するようにしたが、一対の下部ガイド部１ｃの高さを変えて、多少傾くように配置しても良い。
また、上記実施例においては、裏面壁１ｈの厚さを変えて、一対の保持部１ｅの長さを異ならしめたが、一方のバネ受け部８ｂを後方に突出させて、バネ部材１１の圧縮量を変えても良い。
【００３２】
図６から図１０は本発明の他の実施例である直線操作型電気部品の構造を示すもので、図６は本発明の直線操作型電気部品の側面から見た断面図、図７は本発明の直線操作型電気部品に係り、封止部材を取り除いた正面図、図８は本発明の直線操作型電気部品の上面から見た要部断面図、図９は本発明の直線操作型電気部品に係り、可動部材の動きを示す説明図、図１０は上下ガイド部と上下摺動部を示す要部の正面図である。尚、図１から図５で説明した同一部品については、同一符号を付してその説明を省略する。
【００３３】
この場合、前記図１から図５で説明した第１の実施例との相違点は、前記操作軸と前記可動部材の構成が一部相違している点と、これらを付勢している前記バネ部材の構成が相違している点、及び上下ガイド部と上下摺接部の構成が相違している点である。
【００３４】
すなわち本実施例では、操作軸５７は、円柱状の軸部５７ａと、この軸部５７ａの軸線方向Ｇの後端部に設けられ、後述する可動部材５８に当接する凸部５７ｂと、この凸部５７ｂ近傍から前記軸線方向Ｇと直角方向で可動部材５８の幅方向の両外側部に延びる一対の延出腕部５７ｃ、５７ｃが形成されており、この延出腕部５７ｃ、５７ｃに後述する第１のバネ部材６１ａが当接されるものとなっている。そして、この第１のバネ部材６１ａが前記延出腕部５７ｃ、５７ｃに当接されて後述する可動部材５８の幅方向の両外側部に対向して配設されるようになっている。
【００３５】
合成樹脂の成型品からなる可動部材５８は、略矩形状に形成され、幅方向の両端部には、上下、左右の四角部にそれぞれ傾斜面からなる上部及び下部摺接部５８ｄ、５８ｃが形成されている。そして、この上部及び下部摺接部５８ｄ、５８ｃとで形成された前方、後方摺動部５８ｅ、５８ｆは、中央部から幅方向の外方に行くに従って、上下間の厚みが漸次薄くなるように形成されている。
【００３６】
また、前記可動部材５８には、軸の中心より一方向にずらした位置に前記磁石９を取り付けるための下部が開口した取付孔５８ｇが形成されている。この取付孔５８ｇに前記磁石９を上方から挿入して、下部側を前記ホールＩＣ４に対向させた状態で位置決め板６２で固定するようになっている。また、前記取付孔５８ｇとは反対側の中心軸より他方向にずらした位置には、バネ収納孔５８ｈが形成されている。このバネ収納孔５８ｈに後述する第２のバネ部材６１ｂを装着することにより、前記可動部材５８を中心軸からずれた位置で復帰方向へ押圧するようになっている。
【００３７】
合成樹脂の成型品からなるケース５１には、前記操作軸５７が突出する方向に開放して設けられた第１の収納部５１ａと、これとは反対側に開放して設けられた第２の収納部５１ｂが形成されている。前記第１の収納部５１ａには、前記可動部材５８を軸線方向に直線的に移動可能に収納するガイド部５１ｇと、このガイド部５１ｇの両側で第１の収納部５１ａ内の前後方向に延びる丸型の保持部５１ｅとが設けられている。また、前記第１の収納部５１ａの内底部には、後述する第１及び第２のバネ部材６１ａ、６１ｂが係止されるバネ係止部５１ｉ、５１ｊがそれぞれ設けられている。
【００３８】
前記ガイド部５１ｇは、前記可動部材５８の四角部に形成された傾斜面からなる上部及び下部摺接部５８ｄ、５８ｃに当接して摺動する上部ガイド部５１ｄ及び下部ガイド部５１ｃとで形成されており、前記ガイド部５１ｇは、中央部から幅方向の外方に行くに従って上下間の間隔が漸次狭くなって形成されている。また、前記第１の収納部５１ａの開放部を覆うように、封止部材６が取り付けられており、この封止部材６の中央に設けられた孔６ａに前記操作軸５７の軸部５７ａが挿通されて、操作軸５７が直線的に移動可能な状態で取り付けられている。
【００３９】
前記第２の収納部５１ｂには、絶縁基板３が挿入されて取り付けられており、この絶縁基板３には、複数個の金属製の端子２と、この端子２に電気的に接続された状態でホールＩＣ４が取り付けられている。そして、この端子２は、前記ケース５１に埋設されたＬ字状のコネクタ用のピン５の一端に半田付けされて、接続されている。また、前記第２の収納部５１ｂの開放部を覆うように、封止部材５６が取り付けられ、ケース５１の一部をかしめて取り付けることにより第２の収納部５１ｂが密封された状態となっている。
【００４０】
バネ部材６１は、第１のバネ部材６１ａと第２のバネ部材６１ｂとからなり、それぞれコイルバネから形成されている。前記第１のバネ部材６１ａは、同じ仕様の２個のコイルバネからなり、前記ケース５１の保持部５１ｅに収納されて一端が前記バネ係止部５１ｉに、他端が前記操作軸５７の延出腕部５７ｃに係止されることで、前記操作軸５７が前方に付勢されて軸線方向の移動を復帰させるものとなっている。
【００４１】
また、前記第２のバネ部材６１ｂは、１個のコイルバネからなり、前記ケース５１の第１の収納部５１ａに収納されて一端が前記バネ係止部５１ｊに、他端が前記可動部材５８のバネ収納孔５８ｈの内底部に係止されることで、可動部材５８が前方に付勢されて可動部材５８の中央部が前記操作軸５７の凸部５７ｂに弾接された状態にあると共に、前記可動部材５８の軸線方向の移動を復帰させるものとなっている。
【００４２】
この場合、前記第２のバネ部材６１ｂは、図９に示すように、前記可動部材５８を中心軸からずれた位置で復帰方向へ押圧するようにしてあることから、可動部材５８には、可動部材５８の幅方向の中心位置から前後方向に延びる中心線Ｚが軸線方向Ｇに対して傾くような回転モーメントＭ（回転力）が発生し、可動部材５８は、操作軸５７の凸部５７ｂを支点として幅方向の面で回動し、中心線Ｚが操作軸５７の軸線方向Ｇに対して傾いた状態となる。尚、前記第２のバネ部材６１ｂは前記第１のバネ部材６１ａに比して荷重が小さく設定されている。
【００４３】
前記可動部材５８に回転モーメントＭが発生すると、可動部材５８の左側に位置する前方摺動部５８ｅは、図１０に示すように、矢印Ｙ方向に回動して上部ガイド部５１ｄと下部ガイド部５１ｃとの間に押し込まれるようになり、その結果、それぞれ傾斜面からなる上部ガイド部５１ｄと上部摺接部５８ｄ、及び下部ガイド部５１ｃと下部摺接部５８ｃとが当接した状態でお互いの傾斜面に沿って押し込まれるものとなる。このため、前記可動部材５８は、上部ガイド部５１ｄと下部ガイド部５１ｃによって上下方向のガタツキが防止され、更に、上部ガイド部５１ｄと下部ガイド部５１ｃとで挟まれた状態となって、左右方向（幅方向）のガタツキも防止されるものとなる。
【００４４】
また、前記可動部材５８に回転モーメントＭが発生すると、可動部材５８の右側に位置する後方摺動部５８ｆは、図１０に示すように、矢印Ｘ方向に回動して上部ガイド部５１ｄと下部ガイド部５１ｃとの間に押し込まれるようになり、その結果、それぞれ傾斜面からなる上部ガイド部５１ｄと上部摺接部５８ｄ、及び下部ガイド部５１ｃと下部摺接部５８ｃとが当接した状態でお互いの傾斜面に沿って押し込まれるものとなる。このため、前記可動部材５８は、上部ガイド部５１ｄと下部ガイド部５１ｃによって上下方向のガタツキが防止され、更に、上部ガイド部５１ｄと下部ガイド部５１ｃとで挟まれた状態となって、左右方向（幅方向）のガタツキも防止されるものとなる。
【００４５】
また、前記操作軸５７の軸線方向の移動を復帰させる前記バネ部材６１を、同じ仕様の２個のコイルバネからなる前記第１のバネ部材６１ａで形成すると共に、軸線方向Ｇと直角方向で前記可動部材５８の幅方向の両外側部に延びる一対の延出腕部５７ｃ、５７ｃに第１のバネ部材６１ａを当接させて、この第１のバネ部材６１ａが可動部材５８の幅方向の両外側部に対向して配設されるようになっているので、操作軸５７の押圧時における押圧力のバランスが良好となり、また、可動部材５８の移動を復帰させるバネ部材６１を、別個の前記第２のバネ部材６１ｂで構成していることから、操作軸５７と可動部材５８との当接部分へ作用する復帰力を分散することができるので、更に良好な操作感触が得られるものとなっている。
【００４６】
また、前記可動部材５８に回転モーメントＭを加えるのに、操作軸５７の移動を復帰させるコイルバネからなるバネ部材とは別個の、コイルバネからなる前記第２のバネ部材６１ｂで形成するようにしたので、簡単な構成で、取付作業性の良い、安価で生産性の良好な構造が得られるものとなっている。
【００４７】
以上の実施例の構成においても、可動部材５８に回転モーメントＭが発生すると、可動部材５８の前方摺動部５８ｅと後方摺動部５８ｆの上下部は、傾斜面からなる前記上部ガイド部５１ｄと下部ガイド部５１ｃとに挟まれた状態で、弾接状態で摺動し、可動部材５８は上下方向にガタツクことなく摺動することから、ホールＩＣ４と磁石９の垂直方向（上下方向）の距離を一定の間隔に保つことができる。したがって、可動部材５８の安定した保持ができ、振動が加わったとしても出力値が変動せず、そして、磁石９の移動に伴って、直線性に優れた出力値を得ることができるものとなる。
【００４８】
【発明の効果】
本発明の直線操作型電気部品は、可動部材８の移動復帰用のバネ部材と可動部材８のガタツキを防止するバネ部材とを同種類のコイルバネからなるバネ部材１１で形成することで、従来に比して、部品の種類が少なく、安価で、生産性の良好な直線操作型電気部品を提供できる。
また、本発明は、板バネがケースに摺動するような従来に比して、バネ部材１１のケース１への摺動動作がないため、可動部材８の移動がスムースなものが得られる。
また、本発明において、可動部材８には、バネ部材１１によって、可動部材８の幅方向の中心位置から前後方向に伸びる中心線Ｚが軸線方向Ｇに対して幅方向に傾くような回転モーメントＭが加えられて、可動部材８が幅方向の面で回動し、この回動によって、可動部材８の上部、下部摺接部８ｄ、８ｃがケース１の上部、下部ガイド部１ｄ、１ｃのそれぞれに当接するように押し付けられて、可動部材８の上下方向と幅方向の動きが規制手段１０ａにより規制され、可動部材８のガタツキが防止されると共に、可動部材８が軸線方向Ｇに対して幅方向に傾いた状態で直線的に移動するようにしたため、可動部材８の幅方向のガタツキが防止できると共に、軸線方向Ｇに対して直角方向の一つの断面内において、可動部材８の下部、上部摺接部８ｃ、８ｄがそれぞれ上下の位置で、ケース１の下部、上部ガイド部１ｃ、１ｄに当接した状態となっているため、特に、上下方向のガタツキが防止できる。
【００４９】
また、上部ガイド部１ｄと下部ガイド部１ｃ、又は上部摺接部８ｄと下部摺接部８ｃとにそれぞれ傾斜面を設けた規制手段１０ａを有するため、可動部材８とケース１の任意に傾斜面を設けることができて、自由度の良いものが得られる。
【００５０】
また、上部ガイド部１ｄと上部摺接部８ｄ、又は下部ガイド部１ｃと下部摺接部８ｃの一方は、互いに傾斜面同士が当接可能になすと共に、他方は、円弧状面と、この円弧状面に当接する平坦面とを備えた規制手段を有するため、円弧状面と平坦面は線接触となり、その移動がスムースであると共に、可動部材８の高さ方向の移動の位置精度を高めることができる。
【００５１】
また、傾斜面１ｄ、又は８ｄは、可動部材８とケース１の何れか一方、又は、双方に設けたため、可動部材８とケース１の任意に傾斜面を設けることができて、自由度の良いものが得られる。
【００５２】
また、規制手段は、操作軸７の軸線方向Ｇを挟んで左右に設けられた第１と第２の規制手段１０ａ、１０ｂで構成されたため、左右の２カ所で可動部材８をガイドすることができて、一層確実に、可動部材８の上下方向のガタツキ防止と左右方向（幅方向）のガタツキが防止できる。
【００５３】
また、第１と第２の規制手段１０ａ、１０ｂは、一方が操作軸７に近い側に設けられると共に、他方が前記一方よりも操作軸７から遠い位置に設けられたため、可動部材８は軸線方向Ｇに対して前後の位置でガイドされ、従って、可動部材８の保持の確実なものが得られる。
【００５４】
また、可動部材８の回転モーメントＭは、１個のコイルバネからなるバネ部材１１で生起されるようにしたため、部品点数が少なく、安価で、生産性の良好な直線操作型電気部品を提供できる。
【００５５】
また、可動部材８の回転モーメントＭは、操作軸７の軸線方向を挟んで左右に配設された２個のコイルバネからなるバネ部材１１で生起されるようにしたため、可動部材８に対して回転モーメントＭを生起するための構成の簡単なものが提供できる。
また、可動部材８に加わる回転力は、それぞれが可動部材８に加える力の差となるので、復帰力より小さい回転力を加えることが可能となり、可動部材８をスムースに移動させることができる。
【００５６】
また、２個のコイルバネは、個々の可動部材８への当接位置とケース１への当接位置との間の間隔を異ならしめて、２個のコイルバネの可動部材８に対する押圧力を異ならしめたため、バネ力の同じコイルバネが使用できて、生産性の良好なものが得られる。
また、可動部材８の任意の摺動位置において、一定の回転モーメントＭを加えることができる。
【００５７】
また、２個のコイルバネが操作軸７の軸線方向Ｇに対して直交する一つの線Ｗ上の位置に配設したため、操作軸７の押圧時における押圧力のバランスが良くなり、可動部材８の移動がスムースなものが得られる。
【００５８】
また、バネ部材１１によって、可動部材８を操作軸７に弾接したため、操作軸７と可動部材８との間に遊びが無く、可動部材８の正確な移動ができる直線操作型電気部品を提供できる。
【００５９】
また、上部ガイド部１ｄと上部摺動部８ｄの少なくとも一方に傾斜面を設け、また、下部ガイド部１ｃと下部摺動部８ｃの一方には、平坦面を設けると共に、下部ガイド部１ｃと下部摺動部８ｃの他方には、前記平坦面と当接する平坦面、或いは前記平坦面に当接する少なくとも一対の凸部を設けて、規制手段を形成したため、回転モーメントが可動部材８に加わり傾斜面に沿って、平坦面同士、或いは平坦面と一対の凸部が接するまで移動し、従って、可動部材８の高さ方向の距離を一定にでき、出力特性に優れた直線操作型電気部品を提供できる。
【００６０】
また、下部ガイド部１ｃと下部摺動部８ｃの少なくとも一方に傾斜面を設け、また、上部ガイド部１ｄと上部摺動部８ｄの一方には、平坦面を設けると共に、上部ガイド部１ｄと上部摺動部８ｄの他方には、前記平坦面と当接する平坦面、或いは前記平坦面に当接する少なくとも一対の凸部を設けて、規制手段を形成したため、回転モーメントが可動部材８に加わり傾斜面に沿って、平坦面同士、或いは平坦面と一対の凸部が接するまで移動し、従って、可動部材８の高さ方向の距離を一定にでき、出力特性に優れた直線操作型電気部品を提供できる。
【００６１】
また、規制手段は、上部ガイド部５１ｄと上部摺接部５８ｄ、及び下部ガイド部５１ｃと下部摺接部５８ｃとにそれぞれ傾斜面を対向して設け、バネ部材により加えられる回転モーメントによって傾斜面同士を弾接させたため、それぞれ傾斜面からなる上部ガイド部５１ｄと上部摺接部５８ｄ、及び下部ガイド部５１ｃと下部摺接部５８ｃとが当接した状態でお互いの傾斜面に沿って押し込まれるものとなり、可動部材５８は、上部ガイド部５１ｄと下部ガイド部５１ｃによって上下方向のガタツキが防止され、更に、上部ガイド部５１ｄと下部ガイド部５１ｃとで挟まれた状態となって、左右方向（幅方向）のガタツキも防止できる。
【００６２】
また、バネ部材は、操作軸５７の移動を復帰させるように付勢する第１のバネ部材６１ａと、可動部材５８の移動を復帰させるように付勢する第２のバネ部材６１ｂとで構成し、第２のバネ部材６１ｂは、可動部材５８を中心軸からずれた位置で復帰方向へ押圧する１個のコイルバネで形成したため、可動部材５８に回転モーメントＭを加えるのに、操作軸５７の移動を復帰させるバネ部材とは別個の、コイルバネからなる第２のバネ部材６１ｂで形成するようにしたので、簡単な構成で、取付作業性の良い、安価で生産性の良好な構造が得られる。
【００６３】
また、操作軸５７の可動部材５８との当接部側には、軸線方向と直角方向で可動部材５８の幅方向の両外側部に延びる延出腕部５７ｃを形成し、この延出腕部５７ｃに第１のバネ部材６１ａを当接すると共に、この第１のバネ部材６１ａを可動部材５８の幅方向の両外側部に対向して配設したため、操作軸５７の押圧時における押圧力のバランスが良好となり、また、可動部材５８の移動を復帰させるバネ部材を、別個の第２のバネ部材６１ｂで構成していることから、操作軸５７と可動部材５８との当接部分へ作用する復帰力を分散することができるので、更に良好な操作感触が得られる。
【図面の簡単な説明】
【図１】本発明の一実施例である直線操作型電気部品の側面から見た断面図。
【図２】本発明の同じく直線操作型電気部品に係り、封止部材と操作軸とを取り除いた正面図。
【図３】本発明の同じく直線操作型電気部品の上面から見た要部断面図。
【図４】本発明の同じく直線操作型電気部品に係り、可動部材の動きを示す説明図。
【図５】図４の５−５線における要部の断面図。
【図６】本発明の他の実施例である直線操作型電気部品の側面から見た断面図。
【図７】本発明の同じく直線操作型電気部品に係り、封止部材を取り除いた正面図。
【図８】本発明の同じく直線操作型電気部品の上面から見た要部断面図。
【図９】本発明の同じく直線操作型電気部品に係り、可動部材の動きを示す説明図。
【図１０】本発明の同じく上下ガイド部と上下摺動部を示す要部の正面図。
【図１１】従来の直線操作型電気部品の側面から見た断面図。
【図１２】従来の直線操作型電気部品の正面から見た断面図。
【図１３】従来の直線操作型電気部品に係る板バネの断面図。
【符号の説明】
１  ケース
１ａ  収納部
１ｂ  肩部
１ｃ  下部ガイド部
１ｄ  上部ガイド部
１ｅ  保持部
１ｆ  筒状部
１ｇ  ガイド部
１ｈ  裏面壁
２  端子
３  絶縁基板
４  ホールＩＣ
５  ピン
６  封止部材
６ａ  孔
６ｂ  凸条部
７  操作軸
７ａ  鍔部
７ｂ  凸部
８  可動部材
８ａ  基部
８ｂ  バネ受け部
８ｃ  下部摺接部
８ｄ  上部摺接部
８ｅ  前方摺動部
８ｆ  後方摺動部
９  磁石
１０ａ  第１の規制手段
１０ｂ  第２の規制手段
１１  バネ部材
５１  ケース
５１ａ  第１の収納部
５１ｂ  第２の収納部
５１ｃ  下部ガイド部
５１ｄ  上部ガイド部
５１ｅ  保持部
５１ｇ  ガイド部
５１ｉ  バネ係止部
５１ｊ  バネ係止部
５６  封止部材
５７  操作軸
５７ａ  軸部
５７ｂ  凸部
５７ｃ  延出腕部
５８  可動部材
５８ｃ  下部摺接部
５８ｄ  上部摺接部
５８ｅ  前方摺動部
５８ｆ  後方摺動部
５８ｇ  取付孔
５８ｈ  バネ収納孔
６１  バネ部材
６１ａ  第１のバネ部材
６１ｂ  第２のバネ部材
６２  位置決め板
Ｇ  軸線方向
Ｋ  検出手段
Ｍ  回転モーメント
Ｚ  中心線
Ｗ  線
【図１】
0004272822.tif 000002
【図２】
0004272822.tif 000003
【図３】
0004272822.tif 000004
【図４】
0004272822.tif 000005
【図５】
0004272822.tif 000006
【図６】
0004272822.tif 000007
【図７】
0004272822.tif 000008
【図８】
0004272822.tif 000009
【図９】
0004272822.tif 000010
【図１０】
0004272822.tif 000011
【図１１】
0004272822.tif 000012
【図１２】
0004272822.tif 000013
【図１３】
0004272822.tif 000014